(57)【要約】【課題】２本の棒状体を交差姿勢で迅速容易に連結でき、且つ軽量化及び小型化ならびに製造コストの低廉化を図ることができる棒状体用交差連結具を提供する。【解決手段】１本のバネ鋼線からなる線状体６の両端部に同じ向きに開口する略Ｕ字状の係合部７，８が形成されると共に、両係合部７，８間には、両係合部７，８に亘って一方の棒状体４ａを係合させた時に両係合部７，８が開口する側において一方の棒状体４ａを挟んで両係合部７，８の互いに左右反対側の端部７ｂ，８ａどうしを一方の棒状体４ａと斜交する方向に結ぶように延びる圧接用ブリッジ部９が側面視略山形に形成され、一方の棒状体４ａ上に交差する他方の棒状体４ｂを、圧接用ブリッジ部９の山形頂部９ｏと、両係合部７，８に係合させた一方の棒状体４ａとの間で圧接保持させることによって、両棒状体４ａ，４ｂを交差姿勢で連結するように構成されている。【選択図】図２
2015078525.tif 000002
【特許請求の範囲】
【請求項１】
２本の棒状体を交差姿勢で連結するための棒状体用交差連結具であって、
１本のバネ鋼線からなる線状体の両端部に同じ向きに開口する略Ｕ字状の係合部が形成されると共に、両係合部間には、両係合部に亘って一方の棒状体を係合させた時に両係合部が開口する側において前記一方の棒状体を挟んで両係合部の互いに左右反対側の端部どうしを前記一方の棒状体と斜交する方向に結ぶように延びる圧接用ブリッジ部が側面視略山形に形成され、前記一方の棒状体上に交差する他方の棒状体を、前記圧接用ブリッジ部の山形頂部と、前記両係合部に係合させた前記一方の棒状体との間で圧接保持させることによって、両棒状体を交差姿勢で連結するように構成してなる棒状体用交差連結具。
【請求項２】
前記線状体の一端部側の係合部は、前記一方の棒状体に対し係脱自在に係合するＵ字状本体と、このＵ字状本体における圧接用ブリッジ部につながる端部と反対側の端部から前記係合部の開口部側に屈曲突入して前記一方の棒状体からの離脱をし難くするための突入片と、からなる請求項１に記載の棒状体用交差連結具。
【請求項３】
前記線状体の他端部側の係合部は、前記棒状体に対し係脱自在に係合するＵ字状本体と、このＵ字状本体の先端部からＵ字状本体に一部沿うように二重線状に延出して形成された係合操作部片とからなる請求項１又は２に記載の棒状体用交差連結具。
【請求項４】
前記２本の棒状体は夫々ボルトからなる請求項１〜３の何れかに記載の棒状体用交差連結具。
【発明の詳細な説明】
【技術分野】
【０００１】
本発明は、例えば、天井スラブ等の構造体に吊設される空調機器、ケーブルラック、ダクト、天井下地材等の吊設部材の振れ止め措置として、吊設部材を吊り下げ支持する吊りボルトに夫々の端部が取り付けられて、互いに交差する２本の振れ止め用ボルトとを連結するなど、２本の棒状体を交差姿勢で連結する棒状体用交差連結具に関する。
【背景技術】
【０００２】
例えば下記特許文献１には、耐震補強用の吊りボルト振れ止め装置が記載されている。この吊りボルト振れ止め装置は、天井部より垂下された振れ止め措置対象の吊りボルトの隣り合うものどうし間に振れ止め用の筋交いを１本ずつ入れ、筋交いの上端部を筋交い取付金具によって隣り合う一方の吊りボルトの上端部に取り付け、筋交いの下端部を筋交い取付金具により他方の吊りボルトの下端部に取り付け、しかして隣り合う吊りボルト間に配設した筋交いにより地震発生時における吊りボルトの揺れを抑えて、天井材等の損壊、落下を防止するようにしたものである。
【先行技術文献】
【特許文献】
【０００３】
【特許文献１】特開２００８−１６９６０７号公報
【発明の概要】
【発明が解決しようとする課題】
【０００４】
上記吊りボルト振れ止め装置では、天井部より垂下された振れ止め措置対象の吊りボルトの隣り合うものどうし間に振れ止め用の筋交いを１本ずつ入れるようにしたものであるが、隣り合う吊りボルト間に筋交いを１本ずつ入れた場合は、大きな地震の発生時に吊りボルトの揺れを十分に阻止できないことがある。また、例えば空調機器を吊設する場合には、天井スラブ等から垂設した前後左右４本の吊りボルトで吊持し、そして隣り合う吊りボルト間に上記のように筋交いを１本ずつ配設した場合には、地震発生時に、４本の吊りボルトとこれらの間に介設した筋交いとからなる構造体に捩れが生じて、空調機器の取付部が破損するなどの危険性がある。従って、耐震補強用の吊りボルト振れ止め装置では、隣り合う吊りボルト間に２本の振れ止め用筋交いをＸ字状に交差するように配設すると共に、２本の振れ止め用筋交いの交差部を連結することが必要とされる。
【０００５】
本発明は、上記のように吊りボルト等のように間隔をおいて垂設された棒状体の間に、振れ止め用筋交い等のような２本の棒状体を互いに交差した姿勢で配設する場合に、その２本の棒状体の交差部を連結するのに使用される棒状体用の交差連結具に関するもので、その目的とするところは、構造が簡素にして、製作が容易で、コストの低廉化を期することができると共に、棒状体交差部の連結作業を迅速容易に行なえる棒状体用交差連結具を提供することにある。
【課題を解決するための手段】
【０００６】
上記課題を解決するための手段を、後述する実施形態の参照符号を付して説明すると、請求項１に係る発明は、２本の棒状体、例えば振れ止め用ボルトからなる２本の棒状体４ａ，４ｂを交差姿勢で連結するための棒状体用交差連結具であって、
１本のバネ鋼線からなる線状体６の両端部に同じ向きに開口する略Ｕ字状の係合部７，８が形成されると共に、両係合部７，８間には、両係合部７，８に亘って一方の棒状体４ａを係合させた時に両係合部７，８が開口する側において前記一方の棒状体４ａを挟んで両係合部７，８の互いに左右反対側の端部７ｂ，８ａどうしを前記一方の棒状体４ａと斜交する方向に結ぶように延びる圧接用ブリッジ部９が側面視略山形に形成され、前記一方の棒状体４ａ  上に交差する他方の棒状体４ｂを、前記圧接用ブリッジ部９の山形頂部９ｏと、前記両係合部７，８に係合させた前記一方の棒状体４ａとの間で圧接保持させることによって、両棒状体４ａ，４ｂを交差姿勢で連結するように構成してなることを特徴とする。
【０００７】
請求項２は、請求項１に記載の棒状体用交差連結具において、前記線状体６の一端部側の係合部７は、前記一方の棒状体４ａに対し係脱自在に係合するＵ字状本体１０と、このＵ字状本体１０における圧接用ブリッジ部９につながる端部７ｂと反対側の端部７ａから前記係合部７の開口部側に屈曲突入して前記一方の棒状体４ａからの離脱をし難くするための突入片１１と、からなることを特徴とする。
【０００８】
請求項３は、請求項１又は２に記載の棒状体用交差連結具において、前記線状体６の他端部側の係合部８は、前記一方の棒状体４ａに対し係脱自在に係合するＵ字状本体１２と、このＵ字状本体１２の先端部からＵ字状本体１２に一部沿うように二重線状に延出して形成された係合操作部片１３とからなることを特徴とする。
【０００９】
請求項４は、請求項１〜３の何れかに記載の棒状体用交差連結具において、前記２本の棒状体は夫々ボルトからなることを特徴とする。
【発明の効果】
【００１０】
上記解決手段による発明の効果を、後述する実施形態の参照符号を付して説明すると、請求項１に係る発明の棒状体用交差連結具によれば、２本の交差する棒状体、例えば振れ止め用ボルトからなる２本の棒状体４ａ，４ｂを交差姿勢で連結する場合、交差連結具５の一方の係合部７を、一方の棒状体４ａに対してその下側（背面側）から係合させた後、圧接用ブリッジ部９を他方の棒状体４ｂの上に押し付けるような状態から、この圧接用ブリッジ部９が一方の棒状体４ａに対し斜交する状態となるようにして、他方の係合部８を一方の棒状体４ａに対し下側（背面側）から係合させることによって、一方の棒状体４ａ上に交差状態に重なった他方の棒状体４ｂが、圧接用ブリッジ部９の山形頂部９ｏと一方の棒状体４ａとの間で強力に圧接されて保持固定された状態となるから、２本の棒状体４ａ，４ｂを任意の交差角度で簡単に連結することができる。また、この棒状体用交差連結具５は、１本のバネ鋼線からなる線状体６によって形成されるもので、構造が極めて簡素で、製作が容易であるため、コストの低廉化を期することができると共に、棒状体４ａ，４ｂの連結作業を迅速容易に行なうことができる。
【００１１】
請求項２に係る発明によれば、一方の係合部７は、前記一方の棒状体４ａに対し係脱自在に係合するＵ字状本体１０と、このＵ字状本体１０における圧接用ブリッジ部９につながる端部７ｂと反対側の端部７ａから前記係合部７の開口部側に屈曲突入して前記一方の棒状体４ａからの離脱をし難くするための突入片１１とから構成されたもので、交差連結具５による棒状体４ａ，４ｂの連結作業中に突入片１１によって、係合部７が棒状体４ａから簡単には離脱しないため、連結作業を一層迅速容易に行なうことができる。
【００１２】
請求項３に係る発明によれば、他方の係合部８は、前記一方の棒状体４ａに対し係脱自在に係合するＵ字状本体１２と、このＵ字状本体１２の先端部からＵ字状本体１２に一部沿うように二重線状に延出して形成された係合操作部片１３とから構成されたもので、係合操作部片１３によって棒状体４ａに対する係合部８の係合操作を容易に行なうことができる。
【００１３】
請求項４に記載のように、交差姿勢に連結する２本の棒状体４，４が、夫々振れ止め用ボルト４のようなボルトからなる場合は、そのボルトのネジ部が滑り止め機能を発揮し、線状体６からなる係合部７，８及び圧接用ブリッジ部９がそのネジ部に掛止されるから、交差した棒状体４，４どうしのスライドが有効に阻止され、棒状体用交差連結具は、両棒状体４，４を的確に連結保持することができる。
【図面の簡単な説明】
【００１４】
【図１】本発明の一実施形態の棒状体用交差連結具を用いた空調機器（吊設部材の一例）の吊下げ支持構造を示す正面図である。
【図２】(a) は図１の矢印Ａで示される部分の拡大図、(b) は図２の(a) のＢ−Ｂ線断面図、(c) は同図のＣ−Ｃ線断面図、(d) は同図のＤ−Ｄ線断面図である。
【図３】(a) 及び(b) は図２の(a) に示す棒状体用交差連結具を他の異なったの方向から見た斜視図である。
【図４】(a) 及び(b) は棒状体用交差連結具の取付方法を示す説明図である。
【発明を実施するための形態】
【００１５】
以下に本発明の好適な実施形態を図面に基づいて説明すると、図１は、構造体の一例であるコンクリート製の天井スラブＳに垂設された前後左右の４本の吊りボルト３に、吊設部材の一例である空調機器１の４箇所の取付金具１ａを夫々ナット２で取り付けた吊下げ支持構造を示したもので、隣り合う振れ止め対象の吊りボルト３，３間には、２本の棒状体としての振れ止め用ボルト４，４をＸ字状に交差するように配置すると共に、各振れ止め用ボルト４の上端部は、吊りボルト３の上端部に螺装されたボルト取付金具１４の一端部のネジ孔（図示せず）にねじ込んで取り付け、各振れ止め用ボルト４の下端部は、吊りボルト３の下端部に螺装されたボルト取付金具１４の一端部のネジ孔（図示せず）にねじ込んで、ナット１５により固定し、しかして隣り合う吊りボルト３，３間で交差する２本の振れ止め用ボルト４，４の交差部を、本発明に係る棒状体用交差連結具５で連結することによって、振れ止め措置装置が組み付けられている。
【００１６】
本発明に係る棒状体用交差連結具５の構造について、図２及び図３を参照して説明すれば、図２は図１の矢印Ａで示される部分を拡大して示したもので、この交差連結具５は、１本のバネ鋼線からなる線状体６の両端部に同じ向きに開口する略Ｕ字状の係合部７，８が形成されると共に、両係合部７，８間には、両係合部７，８に亘って一方の振れ止め用ボルト４ａ（図２の(a) で右傾斜姿勢の振れ止め用ボルト４）を係合させた時に両係合部７，８が開口する側において一方の振れ止め用ボルト４ａを挟んで両係合部７，８の互いに左右反対側の端部７ａ，８ａどうしを一方の振れ止め用ボルト４ａと斜交する方向に結ぶように延びる圧接用ブリッジ部９が側面視略山形（図２の(b) 参照）に形成され、しかして一方の振れ止め用ボルト４ａに交差する他方の振れ止め用ボルト４ｂ（図２の(a) で左傾斜姿勢の振れ止め用ボルト４）を、圧接用ブリッジ部９の山形頂部９ｏと、両係合部７，８に係合させた前記一方の振れ止め用ボルト４ａとの間で圧接保持させることによって、両振れ止め用ボルト４ａ，４ｂを交差姿勢で連結するように構成されている。
【００１７】
尚、上記の「一方の振れ止め用ボルト４ａを挟んで両係合部７，８の互いに左右反対側の端部７ａ，８ａどうしを一方の振れ止め用ボルト４ａと斜交する方向に結ぶように延びる」とは、図２の(a) を参照して、圧接用ブリッジ部９が、一方の係合部７の左右両端部７ａ，７ｂと他方の係合部８の左右両端部７ａ，７ｂとの間において、互いに左右反対側の端部、つまり係合部７の左右両端部７ａ，７ｂのうちの右側の端部７ｂと、係合部８の左右両端部８ａ，８ｂのうちの左側の端部８ａとを、振れ止め用ボルト４ａに対し斜交する方向に結ぶように延びる、ということであって、このような配置構成の圧接用ブリッジ部１１と両方の係合部７，８とにより、棒状体用交差連結具５を、前記一方の振れ止め用ボルト４ａに保持させることができ、それによって他方の振れ止め用ボルト４ｂを前記一方の振れ止め用ボルト４ａに対し圧接用ブリッジ部９で圧接保持することができる。図３の(a) は、図２の(a) を一方の振れ止め用ボルト４ａを中心として時計回りに９０°回転したような状態を示し、(b) は図２の(a) を概ね他方の振れ止め用ボルト４ｂを中心として時計回りに１８０°回転したような状態を示したものである。
【００１８】
前記線状体６の一端部側の係合部７は、前記一方の振れ止め用ボルト４ａに対し係脱自在に係合するＵ字状本体１０と、このＵ字状本体１０における圧接用ブリッジ部９につながる端部７ｂと反対側の端部７ａから係合部７の開口する側に屈曲突入して（図２の(a) 参照）前記一方の振れ止め用ボルト４ａからの離脱をし難くするための突入片１１とから構成されている。
【００１９】
前記線状体６の他端部側の略Ｕ字状係合部８は、前記一方の振れ止め用ボルト４ａに対し係脱自在に係合するＵ字状本体１２と、このＵ字状本体１２の先端部からＵ字状本体１２に一部沿うように二重線状に延出してその先端部が丸く屈曲された係合操作部片１３とから構成されており、係合操作部片１３の先端屈曲部を１３ａで示す。
【００２０】
上記のように構成される棒状体用交差連結具５の使用方法について図４を参照して説明すると、図４の(a) ，(b) は、図１の矢印Ａで示されるように互いに斜交する２本の振れ止め用ボルト４ａ，４ｂを交差姿勢で連結する場合を例示したもので、先ず、(a) に示すように、例えば左の手で、一方の振れ止め用ボルト４ａ上に他方の振れ止め用ボルト４ｂを交差させて押し付けた状態に保持し、そして右手で持った交差連結具５の一方の係合部７を、(a) に示すように振れ止め用ボルト４ｂより上方位置で振れ止め用ボルト４ａに対して下側（背面側）から係合させる。
【００２１】
一方の係合部７を振れ止め用ボルト４ａに対し下側（背面側）から係合させたならば、図４の(b) に示すように、交差連結具５の係合操作部片１３を左手で掴んで、圧接用ブリッジ部９を振れ止め用ボルト４ｂの上に押し付けるような状態から、この圧接用ブリッジ部９が振れ止め用ボルト４ａに対し斜交する状態となるように、係合操作部片１３を左手で掴んで図４の(b) の左方へ引き寄せながら、振れ止め用ボルト４ａの下側（背面側）へ潜り込ませるように強く押し込んで、他方の係合部８を、振れ止め用ボルト４ｂの下方位置で振れ止め用ボルト４ａに対し下側（背面側）から係合させて、交差連結具５を図２の(a) ，(b) に示すような状態とする。これによって、一方の振れ止め用ボルト４ａ上に交差状態に重なった他方の振れ止め用ボルト４ｂは、圧接用ブリッジ部９の山形頂部９ｏと前記一方の振れ止め用ボルト４ａとの間で強力に圧接されて保持固定された状態となり、しかして両方の振れ止め用ボルト４ａ，４ｂは所定の交差姿勢で連結される。
【００２２】
この棒状体用交差連結具５では、上記実施形態の説明のように一方の振れ止め用ボルト４ａ上に交差状態に重なった他方の振れ止め用ボルト４ｂが、圧接用ブリッジ部９の山形頂部９ｏと一方の振れ止め用ボルト４ａとの間で強力に圧接されて保持された状態となることにより、両方の振れ止め用ボルト４ａ，４ｂが交差姿勢で連結されることになるが、圧接用ブリッジ部９の山形頂部９ｏと一方の振れ止め用ボルト４ａとの間で圧接保持された状態の他方の振れ止め用ボルト４ｂは、一方の振れ止め用ボルト４ａに対し交差角度が変更可能であるため、２本の振れ止め用ボルト４ａ，４ｂは、ある一定の交差角度姿勢に限らず、任意の交差角度姿勢で連結可能となる。
【００２３】
また、この棒状体用交差連結具５では、上記のように２本の振れ止め用ボルト４ａ，４ｂが任意の交差角度姿勢で連結可能であるが、一方の振れ止め用ボルト４ａに対し他方の振れ止め用ボルト４ｂがその軸方向にスライドしないように連結可能となる。この場合、２本の棒状体、例えば２本の振れ止め用ボルト４ａ，４ｂは、ネジ棒（ボルト）であることが好ましく、このネジ棒のネジ部によって上記スライドが有効に阻止される。これは、ネジ棒（ボルト）の場合には、そのネジ部が滑り止め機能を有効に発揮し、線状体６からなる係合部７，８及び圧接用ブリッジ部９がそのネジ部に掛止されるからである。
【００２４】
以上の実施形態の説明から分かるように、この棒状体用交差連結具５によれば、一方の棒状体４ａ上に他方の棒状体４ｂを交差させた２本の棒状体４ａ，４ｂを連結するのに、交差連結具５の一方の係合部７を、一方の棒状体４ａに対してその下側（背面側）から係合させた後、圧接用ブリッジ部９を他方の棒状体４ｂの上に押し付けるような状態から、この圧接用ブリッジ部９が一方の棒状体４ａに対し斜交する状態となるようにして、他方の係合部８を一方の棒状体４ａに対し下側（背面側）から係合させることによって、一方の棒状体４ａ上に交差状態に重なった他方の棒状体４ｂが、圧接用ブリッジ部９の山形頂部９ｏと一方の棒状体４ａとの間で強力に圧接されて保持固定された状態となるから、２本の棒状体４ａ，４ｂを任意の交差角度で簡単に連結することができる。
【００２５】
また、一方の係合部７は、前記一方の棒状体４ａに対し係脱自在に係合するＵ字状本体１０と、このＵ字状本体１０における圧接用ブリッジ部９につながる端部７ｂと反対側の端部７ａから前記係合部７の開口部側に屈曲突入して前記一方の棒状体４ａからの離脱をし難くするための突入片１１とから構成されたもので、交差連結具５による棒状体４ａ，４ｂの連結作業中に突入片１１によって、係合部７が棒状体４ａから簡単には離脱しないため、連結作業を一層迅速容易に行なうことができる。
【００２６】
また、他方の係合部８は、前記一方の棒状体４ａに対し係脱自在に係合するＵ字状本体１２と、このＵ字状本体１２の先端部からＵ字状本体１２に一部沿うように二重線状に延出して形成された係合操作部片１３とから構成されたもので、係合操作部片１３によって棒状体４ａに対する係合部８の係合操作を容易に行なうことができる。
【００２７】
特に、この棒状体用交差連結具５は、１本のバネ鋼線からなる線状体６によって形成されるもので、構造が極めて簡素で、製作が容易であるため、コストの低廉化を期することができると共に、棒状体４ａ，４ｂの連結作業を迅速容易に行なうことができる。
【符号の説明】
【００２８】
１            空調機器（吊設部材）
３            吊りボルト
４            振れ止め用ボルト（棒状体）
４ａ，４ｂ    振れ止め用ボルト（棒状体）
５            棒状体用交差連結具
６            線状体
７，８        係合部
９            圧接用ブリッジ部
１０          Ｕ字状本体
１１          突入片
１２          Ｕ字状本体
１３          係合操作部片
【図１】
2015078525.tif 000003
【図２】
2015078525.tif 000004
【図３】
2015078525.tif 000005
【図４】
2015078525.tif 000006